(57)【要約】      （修正有）【課題】二次元媒体からなり、花の美観を再現し得る花卉画像装飾品を、簡便な方法で得る方法を提供すること。【解決手段】生花を紙または布の間に挟み、重りを載せて平板化し、コピー装置でコピーして画像を得るか、スキャナで画像を電子ファイルにしてプリンタにより印刷し画像を得る。コピーする際に別途に準備した画像を配置することで、合成画像を得ることも可能で、画像の電子ファイルに、コンピュータで加工を施して合成画像を得ることも可能である。【選択図】図２
2009029097.tif 000002
【特許請求の範囲】
【請求項１】
生花を紙または布の少なくともいずれかに挟み、圧力を負荷して平板化した生花を得る工程と、前記平板化した生花をコピーして画像を得る工程を有することを特徴とする花卉画像装飾品の製造方法。
【請求項２】
別途に準備した画像を前記平板化した生花と一緒にコピーすることを特徴とする、請求項１に記載の花卉画像装飾品の製造方法。
【請求項３】
生花を紙または布の少なくともいずれかに挟み、圧力を負荷して平板化した生花を得る工程と、スキャナにより前記平板化した生花の画像を電子化された画像ファイルとする工程と、前記画像ファイルを、プリンタにより画像とする工程を有することを特徴とする、花卉画像装飾品の製造方法。
【請求項４】
別途に準備した画像ファイルを、前記生花の画像ファイルの中に読み込んだ後に、プリンタにより画像とする工程を有することを特徴とする、請求項３に記載の花卉画像装飾品の製造方法。
【発明の詳細な説明】
【技術分野】
【０００１】  本発明は生花を画像化した、壁掛け、襖紙などに用いることができる、花卉画像装飾品の製造方法に関するものである。
【背景技術】
【０００２】  視覚的な装飾品には多種多様なものがある。その題材の一つである花は、誰が見ても美感を喚起され、文献資料に見られるように古くから様々な形式で鑑賞され、特に我が国においては、花を題材とした芸術が、華道として集大成されている。【０００３】  また、花は、いずれは枯れるものなので、長時間に亘って鑑賞するための手段として、ドライフラワーのような手法が考案され、花の楽しみ方の選択肢増加に寄与している。しかしながら、これらの処理を施しても、花は時間の経過とともに退色し、いつまでも美観を維持できるものではない。【０００４】  以上は、花を三次元的な装飾品として構成する方法の代表的な例であるが、二次元的な装飾品として、花は、古くから絵画の題材として取り上げられたり、近年も写真の題材として取り上げられたりしていて、これらは花を鑑賞する媒体として定着している。【０００５】  ところで、絵画は言うまでもなく人の手になるものであり、鑑賞に堪えるか否かは制作する人の力量に左右され、絵画の表現様式によっては、花の質感などを、必ずしも忠実に再現したものにはならない。また、写真も撮影方法によっては、見る人に実物からかけ離れた印象を与えることがある。【０００６】  一方で、特許文献１には、特に近年技術開発の著しいコピー技術を応用して、花本来の美観を再現した原画を得る方法が開示されている。しかしながら、ここに開示されている技術は、押し花を透明なアクリル系の高分子材料などにより封止する工程を必要とし、製造装置と作業の環境などを選ぶ必要があり、誰でも手軽に制作できるものではない。【０００７】  また、封止に用いる高分子材料として、無色透明のものを選択しても、硬化反応を行う前に、ある程度の量のモノマーが花の表面にしみ込むことが避けられず、花本来の色調や質感に影響を及ぼすことがある。しかも、封止の工程で、用いる高分子材料に気泡が混入することがあり、これを完全に防ぐための硬化条件などを見出すのが、容易ではないという問題がある。【０００８】
【特許文献１】  特開平５−１６２５００号公報
【発明の開示】
【発明が解決しようとする課題】
【０００９】  従って、本発明の課題は、二次元媒体からなり、花の美観を再現し得る花卉画像装飾品を、簡便な方法で得る方法を提供することにある。
【課題を解決するための手段】
【００１０】  本発明は、質感や色彩を損なわないで、コピー装置やスキャナで画像を取り込むために必要な花卉類の処理法を検討した結果なされたものである。【００１１】  即ち、本発明は、生花を紙または布の少なくともいずれかに挟み、圧力を負荷して平板化した生花を得る工程と、前記平板化した生花をコピーして画像を得る工程を有することを特徴とする花卉画像装飾品の製造方法である。【００１２】  また、本発明は、別途に準備した画像を前記平板化した生花と一緒にコピーすることを特徴とする、前記の花卉画像装飾品の製造方法である。【００１３】  また、本発明は、生花を紙または布の少なくともいずれかに挟み、圧力を負荷して平板化した生花を得る工程と、スキャナにより前記平板化した生花の画像を電子化された画像ファイルとする工程と、前記画像ファイルを、プリンタにより画像とする工程を有することを特徴とする、花卉画像装飾品の製造方法である。【００１４】  また、本発明は、別途に準備した画像ファイルを、前記生花の画像ファイルの中に読み込んだ後に、プリンタにより画像とする工程を有することを特徴とする、前記の花卉画像装飾品の製造方法である。
【発明の効果】
【００１５】  一般に、コピー装置やスキャナで画像を取り込む際は、対象に奥行きがあると、全体の焦点の整合が困難になり、鮮明な画像を得るのが困難になるが、本発明では、画像として取り込む生花を、予め平板化してあるので、従来のコピー装置やスキャナをそのまま用いても鮮明な画像を得ることができる。【００１６】  また、従来の押し花の製造方法においては、平板化するのと同時に、水分を除いて保存性を向上するのが主眼となるので、乾燥により生花本来の質感や色彩を損なうことがあるが、本発明においては、前記のように生花を平板化するだけであり、生花本来の美観を維持した状態で画像化の処理が可能である。【００１７】  また、本発明によれば、平板化した生花の適当な位置に、別途に準備した画像を配置した状態で画像化することも可能で、画像化の対象の多様性が増加する。さらにコピー装置で直接画像を得る方法の他に、スキャナを用いて生花の画像を電子化した画像ファイルにすることにより、他の画像との組み合わせの自由度を増加することも可能である。【００１８】  さらに大きな特徴の一つとして、本発明の花卉画像装飾品は、押花のように生花の加工品をそのまま用いるものではないので、たとえば“かぶれ”のような皮膚障害の原因物質を放出することがなく、襖紙や建具の装飾のように日常的に人体に接触する用途に使用できることが挙げられる。
【発明を実施するための最良の形態】
【００１９】  次に具体的な例に基づき本発明の実施の形態について説明する。【００２０】  図１は、本発明の花卉画像装飾品の製造方法における、生花の平板化の工程を示す斜視図である。図１において、１は生花、２は紙または布、３は板、４は重りである。ここでは、平板化して生花の形を整えると同時に、余分な水分を除く必要があるので、紙または布としては、吸水性を有するものが好適で、紙の場合はティッシュペーパーや厚手のキッチンタオルが、布の場合は厚手のガーゼやタオルが適している。生花の種類によって異なるが、重りを載せておく必要な時間は、牡丹のような大きな生花の場合で、１時間程度である。【００２１】  図２は、本発明の花卉画像装飾品における、平板化した生花の画像化工程を示す斜視図である。図２において、５は平板化した生花、６はコピー装置である。平板化した生花５のコピー装置６への載置には、平板化した生花５を紙または布２の間に挟んだ状態で、生花の正面をコピー装置側に向け、平板化した生花５が変形しないように、紙または布２だけを抜き取るという方法をとる必要がある。【００２２】  コピー装置のカバーをかぶせると、生花５が動いてしまうことがあるので、セロテープ（登録商標）のような透明な粘着テープを用いて固定するのが望ましい。この状態で、コピー装置を操作して、印刷を行い、本発明の花卉画像装飾品を得ることができる。【００２３】  前記のように、コピー装置を用いた場合は、必要な枚数を印刷する必要があるが、スキャナを用いることで、画像を電子ファイルとして保存しておけば、必要なときにいつでもプリンタを用いて印刷することができる。【００２４】  また、図２に示した状態で、別途に準備した画像を適宜重ねてコピー装置を操作することで、複数の画像を合成した画像を得ることもできる。スキャナで取り込んだ電子ファイルを用いた場合は、別の画像を合成するのがより容易で、コンピュータグラフィックとの組み合わせも可能で、画像の多様性を増すことができる。【００２５】  図３は、生花の画像と猫の画像を合成した、本発明の花卉画像装飾品の例を示す図である。図３において、７は花の画像、８は猫の画像、９は額縁である。このような例は、コピー装置を用いても、スキャナを用いても得ることができるが、一般的に電子ファイルを用いて画像を合成する方が鮮明な画像が得られる。【００２６】  以上に説明したように、本発明によれば、写真や絵画とは異なる簡便な方法で、二次元的な生花の装飾品を得ることできる。なお、本発明は、前記具体例に限定されるものではなく、本発明の要旨を逸脱しない範囲の設計変更があっても、本発明に含まれる。即ち、本技術分野における通常の知識を有する者であれば想到し得る、各種変形、修正を含むことは勿論である。
【図面の簡単な説明】
【００２７】
【図１】  本発明の花卉画像装飾品の製造方法における生花の平板化の工程を示す斜視図。
【図２】  本発明の花卉画像装飾品における平板化した生花の画像化工程を示す斜視図。
【図３】  生花の画像と猫の画像を合成した本発明の花卉画像装飾品の例を示す図。
【符号の説明】
【００２８】１  生花
２  紙または布
３  板
４  重り
５  平板化した生花
６  コピー装置
７  花の画像
８  猫の画像
９  額縁
【図１】
2009029097.tif 000003
【図２】
2009029097.tif 000004
【図３】
2009029097.tif 000005